(57)【要約】【課題】計量した内容物の残液が容器に付着しにくく、また、計量キャップの開口縁部分の衛生性を確保することができる。【解決手段】内容物を収容する容器本体２と、容器本体２の首部２ｂに被着される計量キャップ３とを備え、容器本体２の首部２ｂには、下端縁が容器本体２に当接するとともに、計量キャップ３の径方向の外側に位置して計量キャップ３の開口縁部３３ａを外側から覆う液垂れ防止リング４が装着され、液垂れ防止リング４と容器本体２の首部２ｂとの間には、計量キャップ３の残液を受ける受け部Ｐが形成された構成の容器を提供する。【選択図】図１
2014227195.tif 000002
【特許請求の範囲】
【請求項１】
内容物を収容する容器本体と、該容器本体の首部に被着される計量キャップと、を備えた容器であって、
前記容器本体の首部には、下端縁が前記容器本体に当接するとともに、前記計量キャップの径方向の外側に位置して該計量キャップの開口縁部を外側から覆う液垂れ防止リングが装着され、
該液垂れ防止リングと前記容器本体の首部との間には、前記計量キャップの残液を受ける受け部が形成されていることを特徴とする容器。
【請求項２】
前記液垂れ防止リングには、厚さ方向に向けて空気を流通させるための通気孔が形成されていることを特徴とする請求項１に記載の容器。
【請求項３】
前記液垂れ防止リングは、通気性を有する素材により形成されていることを特徴とする請求項１又は２に記載の容器。
【請求項４】
前記受け部には、前記残液を吸収可能な吸液性部材が設けられていることを特徴とする請求項１乃至３のいずれか１項に記載の容器。
【請求項５】
前記液垂れ防止リングは、前記容器本体の首部に着脱可能に設けられていることを特徴とする請求項１乃至４のいずれか１項に記載の容器。
【発明の詳細な説明】
【技術分野】
【０００１】
本発明は、計量キャップ付きの容器に関する。
【背景技術】
【０００２】
この種の容器として、従来、内容物が収容される容器本体と、容器本体の口部に装着されるとともに計量可能な計量キャップと、を備えている。このような容器では、計量キャップの使用後に容器本体に装着する際に、計量した残りの内容物（残液）が容器本体の首部などの計量キャップの装着部分を伝い、容器本体の側壁にまで至って外観を低下させるという欠点があった。これに対して、液回収部を備えた構造により液垂れ防止を図った容器が、例えば特許文献１に開示されている。
【０００３】
特許文献１には、容器本体の首部に装着される注出栓本体と、この注出栓本体に着脱自在に螺着されるキャップとを備え、キャップが螺合する雄ネジを外周に備えた注出口部が注出栓本体の中央に位置し、注出口部回りに容器本体内に連通する液回収溝を設けた注出栓を備え、使用後のキャップに残る残液を、前記液回収溝を流通させて再び容器本体内に戻すことを可能とした構成の容器について記載されている。
【先行技術文献】
【特許文献】
【０００４】
【特許文献１】実開昭６３−８６０６０号公報
【発明の概要】
【発明が解決しようとする課題】
【０００５】
しかしながら、従来の計量キャップの付いた容器では、以下のような問題があった。
すなわち、特許文献１で提案される液回収部を備えた容器では、キャップの残液を容器本体内に再び戻すことになるので、例えば衣料用洗浄剤の容器では問題はないものの、洗口液など直接的に口と接触する可能性のある計量キャップにおいては、計量キャップの口元を衛生的に保護する必要があり、内容物の付着防止および衛生性が十分に確保できないという問題はあり、その点で改善の余地があった。
【０００６】
本発明は、このような事情に鑑みてなされたものであって、計量した内容物の残液が容器に付着しにくく、また、計量キャップの開口縁部分の衛生性を確保することができる容器を提供することを目的とする。
【課題を解決するための手段】
【０００７】
上記目的を達成するため、本発明に係る容器では、内容物を収容する容器本体と、容器本体の首部に被着される計量キャップと、を備えた容器であって、容器本体の首部には、下端縁が容器本体に当接するとともに、計量キャップの径方向の外側に位置して計量キャップの開口縁部を外側から覆う液垂れ防止リングが装着され、液垂れ防止リングと容器本体の首部との間には、計量キャップの残液を受ける受け部が形成されていることを特徴としている。
【０００８】
本発明では、計量キャップを容器本体に被着させた状態で、計量キャップの開口縁部が液垂れ防止リングと容器本体の首部との間の受け部に位置することになる。そのため、計量キャップの使用後に容器本体の首部に被着させて容器本体を閉蓋したとき、計量キャップ内に残る残液が下方に流下しても、その残液が受け部で受け止められるので、液垂れを防ぐことができ、容器に残液が付着するのを防止することができる。しかも、計量キャップによる閉蓋時において、計量キャップの開口縁部が液垂れ防止リングに覆われているので、その開口縁部に直接、手などが触れることがなく保護された状態となり、衛生性を確保することができる。そのため、とくに洗口液などの内容物が収容され、計量キャップに口を付けて用いられる容器に効果的である。
【０００９】
そして、液垂れ防止リングの内側に形成される受け部は上方が開口していて、空気が流通し易い構成となっているので、受け部に流入した残液を早期に乾燥させることが可能となり、衛生性をより向上させることができる。また、計量キャップの開口縁部に付着している残液も、空気が流通し易い受け部に位置しているので、その付着残液も早期に乾燥させることができる。
【００１０】
また、本発明の容器では、液垂れ防止リングには、厚さ方向に向けて空気を流通させるための通気孔が形成されていることが好ましい。
【００１１】
この場合には、受け部の上方の開口から空気が流入するだけではなく、液垂れ防止リング自体に形成される通気孔を空気が流通するので、さらに受け部で受け止められる残液や、計量キャップの開口縁部に付着する残液の乾燥を促進させることができる。
【００１２】
また、本発明の容器では、液垂れ防止リングは、通気性を有する素材により形成されていることが好ましい。
【００１３】
この場合には、受け部の上方の開口から空気が流入するだけではなく、液垂れ防止リング自体が例えば焼結体などの通気性を有する素材により形成されていて空気が通気し易くなっているので、さらに受け部で受け止められる残液や、計量キャップの開口縁部に付着する残液の乾燥を促進させることができる。
【００１４】
また、本発明の容器では、受け部には、残液を吸収可能な吸液性部材が設けられていることが好ましい。
【００１５】
この場合、受け部で受け止められる残液を吸液性部材によって積極的に吸収することが可能となるので、受け部及び計量キャップの残液量を少なくすることができ、より早く乾燥させることができる。
【００１６】
また、本発明の容器では、液垂れ防止リングは、容器本体の首部に着脱可能に設けられていることが好ましい。
【００１７】
この場合には、液垂れ防止リングを容器本体に対して着脱とすることで、適時、液垂れ防止リング及び容器本体の清掃が可能となり、衛生性を確保することができる。
【発明の効果】
【００１８】
本発明に係る容器によれば、計量した内容物の残液が容器に付着しにくく、また、計量キャップの開口縁部分の衛生性を確保することができる。
【図面の簡単な説明】
【００１９】
【図１】本発明の第１の実施の形態よる容器の要部を示す縦断面図である。
【図２】第２の実施の形態による液垂れ防止リングの構成を示す斜視図である。
【図３】第３の実施の形態による液垂れ防止リングの構成を示す斜視図である。
【図４】第４の実施の形態による容器の要部を示す縦断面図である。
【図５】第５の実施の形態による容器の要部を示す縦断面図である。
【図６】第６の実施の形態による容器の要部を示す縦断面図である。
【発明を実施するための形態】
【００２０】
以下、本発明による容器の実施の形態について、図面を参照して説明する。
【００２１】
（第１の実施の形態）
図１に示すように、本実施の形態の容器１は、内容物が収容される容器本体２と、容器本体２の首部２ｂに被着されてその口部２ａを閉塞するとともに、内容物を計量可能に形成された計量キャップ３と、容器本体２の首部２ｂに装着されて、下端部４ａが容器本体２に当接するとともに、計量キャップ３の径方向の外側に位置して計量キャップ３の開口縁部３３ａを外側から覆う液垂れ防止リング４と、を備えている。
ここで、内容物としては、洗口液のような例えば３０Ｐａ・ｓ以下の比較的粘度が低い内容物とされる。
【００２２】
ここで、容器本体２は有底筒状に形成され、計量キャップ３は有頂筒状に形成され、計量キャップ３の被着状態において、これら２、３が共通軸と同軸に配置されている。以下、この共通軸を容器軸Ｏといい、容器軸Ｏ方向に沿って計量キャップ３側を上側、容器本体２の底部側を下側といい、また容器軸Ｏに直交する方向を径方向といい、容器軸Ｏを中心に周回する方向を周方向という。
【００２３】
容器本体２の首部２ｂは、上側に位置する上筒部２１と、下側に位置し上筒部２１よりも大径に形成された下筒部２２と、を備える二段筒状に形成されている。上筒部２１の外周面に雄ねじ部２１ａが形成されている。
下筒部２２には、周方向の全体にわたって延在し、径方向の外側に向けて突出する環状膨出部２３が設けられている。
【００２４】
計量キャップ３は、天壁部３１と、天壁部３１の外周縁に連設されて上側に位置する内筒部３２と、下側に位置し内筒部３２よりも大径に形成された外筒部３３と、を備えている。天壁部３１には、内筒部３２よりも径方向の内側に位置するとともに、周方向の全体にわたって容器軸Ｏと同軸に下方に向けて栓筒３４が突設されている。この栓筒３４が容器本体２の口部２ａ内に嵌合することにより、この口部２ａが閉塞される。内筒部３２は、その内周面に雌ねじ部３２ａが形成されており、首部２ｂの下筒部２２の雄ねじ部２１ａに螺着により外嵌する。また、外筒部３３の下端部（開口縁部３３ａ）は、首部２ｂに形成される環状膨出部２３に上方から当接している。
【００２５】
液垂れ防止リング４は、容器本体２の首部２ｂに対して着脱可能な筒状をなし、下端部４ａが径方向の内側から外側に向かうに従い漸次下方に延びるテーパー面が形成され、この下端部４ａが容器本体２の肩部２ｃに上方から当接している。液垂れ防止リング４は、計量キャップ３の外筒部３３よりも大径に形成され、内周面４ｂの一部が環状膨出部２３に液密に当接している。このような、液垂れ防止リング４は、容器本体２の首部２ｂに対して上方から容易に着脱することが可能となっている。
【００２６】
計量キャップ３の外筒部３３の下側部分は、首部２ｂと液垂れ防止リング４との間に位置している。そして、液垂れ防止リング４と首部２ｂとの間には、計量キャップ３の残液を受ける受け部Ｐが形成されている。本実施の形態では、環状膨出部２３と液垂れ防止リング４とが液密に当接しているので、残液がその環状膨出部２３と液垂れ防止リング４との間を通過することがないので、環状膨出部２３よりも上方の部分が受け部Ｐに相当する。
【００２７】
以上説明した本実施の形態による容器１によれば、以下の作用効果を奏する。
すなわち、図１に示すように、本実施の形態の容器１では、計量キャップ３を容器本体２に被着させた状態で、計量キャップ３の開口縁部３３ａが液垂れ防止リング４と容器本体２の首部２ｂとの間の受け部Ｐに位置することになる。
そのため、計量キャップ３の使用後に容器本体２の首部２ｂに被着させて容器本体２を閉蓋したとき、計量キャップ３内に残る残液が下方に流下しても、その残液が受け部Ｐで受け止められるので、液垂れを防ぐことができ、容器１の外周面に残液が付着するのを防止することができる。
【００２８】
しかも、計量キャップ３による閉蓋時において、計量キャップ３の開口縁部３３ａが液垂れ防止リング４に覆われているので、その開口縁部３３ａに直接、手などが触れることがなく保護された状態となり、衛生性を確保することができる。そのため、とくに洗口液などの内容物が収容され、計量キャップ３に口を付けて用いられる容器１に効果的である。
【００２９】
そして、液垂れ防止リング４の内側に形成される受け部Ｐは上方が開口していて、空気が流通し易い構成となっているので、受け部Ｐに流入した残液を早期に乾燥させることが可能となり、衛生性をより向上させることができる。
また、計量キャップ３の開口縁部３３ａに付着している残液も、空気が流通し易い受け部Ｐに位置しているので、その付着残液も早期に乾燥させることができる。
【００３０】
しかも、液垂れ防止リング４を容器本体２に対して着脱とすることで、適時、液垂れ防止リング４及び容器本体２の清掃が可能となり、衛生性を確保することができる。
【００３１】
上述のように本実施の形態による容器では、計量した内容物の残液が容器１に付着しにくく、また、計量キャップ３の開口縁部３３ａ部分の衛生性を確保することができるという効果を奏する。
【００３２】
次に、本発明による容器の他の実施の形態について、添付図面に基づいて説明するが、上述の第１の実施の形態と同一又は同様な部材、部分には同一の符号を用いて説明を省略し、第１の実施の形態と異なる構成について説明する。
【００３３】
（第２の実施の形態）
図２に示すように、第２の実施の形態による液垂れ防止リング４Ａは、厚さ方向に向けて空気を流通させるための複数の第１通気孔４ｃを厚さ方向に貫通させた構成となっている。このときの第１通気孔４ｃの孔径は、任意に設定することができるが、容器に収容される内容物の種類、粘性度などに応じて、受け部Ｐで受け止められる内容物の残液が第１通気孔４ｃを通過して外方に漏出しない適宜な寸法に決められている。また第１通気孔４ｃの数量、位置においても、任意に設定することができる。例えば、第１通気孔４ｃは、図２では、液垂れ防止リング４Ａの全周面のうち対向する所定の範囲に部分的に設けられているが、この範囲に限定されることはなく、全周にわたって設けられていてもよい。
【００３４】
このように、本第２の実施の形態では、図１に示す受け部Ｐの上方の開口から空気が流入するだけではなく、液垂れ防止リング４Ａ自体に形成される第１通気孔４ｃを空気が流通するので、さらに受け部Ｐで受け止められる残液や、計量キャップ３の開口縁部３３ａに付着する残液の乾燥を促進させることができる。
【００３５】
（第３の実施の形態）
図３に示すように、第３の実施の形態による液垂れ防止リング４Ｂは、通気性を有する焼結体により形成されている。そのため、図１に示す受け部Ｐの上方の開口から空気が流入するだけではなく、液垂れ防止リング４Ｂ自体が焼結体により形成されていて空気が通気し易くなっているので、さらに受け部Ｐで受け止められる残液や、計量キャップ３の開口縁部３３ａに付着する残液の乾燥を促進させることができる。
【００３６】
（第４の実施の形態）
次に、図４に示す第４の実施の形態による液垂れ防止リング４Ｃは、上述した第２の実施の形態のように複数の第２通気孔４ｄがリング厚さ方向に貫通されて設けられている。そして、これら第２通気孔４ｄは、環状膨出部２３よりも上側の部分、すなわち受け部Ｐを形成する範囲に設けられ、厚さ方向で外側から内側に向かうに従い縮径されている。具体的に第２通気孔４ｄは、その孔径が厚さ方向で外側が１ｍｍ以下で内側が０．９ｍｍ以下とするのが好ましく、例えば外側の孔径が１ｍｍのとき、内側の孔径が０．９ｍｍに縮径された形状に設定することができる。
【００３７】
また、液垂れ防止リング４Ｃには、内周面４ｂに全周にわたって延在する環状凸部４１が形成されている。この環状凸部４１を首部２ｂの環状膨出部２３の下側にアンダーカット嵌合させることにより、液垂れ防止リング４Ｃが容易に容器本体２から外れたり、上下方向に位置がずれたりするのを防ぐことができる。
【００３８】
第４の実施の形態では、上述した第２の実施の形態と同様に、受け部Ｐの上方の開口から空気が流入するだけではなく、液垂れ防止リング４Ｃ自体に形成される第２通気孔４ｄを空気が流通するので、さらに受け部Ｐで受け止められる残液や、計量キャップ３の開口縁部３３ａに付着する残液の乾燥を促進させることができる。しかも、液垂れ防止リング４Ｃの環状凸部４１が環状膨出部２３に係止しているので、液垂れ防止リング４Ｃが容器本体２に対する姿勢が安定することから、液垂れ防止効果を高めることができる。
【００３９】
（第５の実施の形態）
次に、図５に示す第５の実施の形態の容器１は、液垂れ防止リング４Ｄの上下方向の中間に段差部が設けられ、その段差部を構成する連結部４４（後述する）に上下方向に貫通された複数の第３通気孔４ｅが形成された構成となっている。具体的に液垂れ防止リング４Ｄは、容器本体２の環状膨出部２３に装着される下筒４２と、下筒４２より大径の上筒４３と、下筒４２の上端及び上筒４３の下端を連結する連結部４４と、を備えている。連結部４４は、水平に全周にわたって延在し、周方向に所定の間隔をあけて第３通気孔４ｅが形成されている。本容器１の受け部Ｐは、大径の上筒４３と首部２ｂとの間に形成される部分であるので、上筒４３が大径になった分だけ受け部Ｐの容積（上筒４３と首部２ｂとの間の間隔）を大きく取ることができる。
【００４０】
第５の実施の形態による容器１では、受け部Ｐの容量が大きくなるので、より多くの残液を受け止めることができる。しかも、受け部Ｐの通気も良好となることから、受け部Ｐに溜まった残液や、計量キャップ３の開口縁部３３ａに付着する残液の乾燥を早めることができるという利点がある。
【００４１】
（第６の実施の形態）
次に、図６に示す第６の実施の形態の容器１は、受け部Ｐに残液を吸収可能な吸液性部材５を設けた構成となっている。吸液性部材５は、スポンジ等の発泡体からなり、環状膨出部２３よりも上側の位置で、首部２ｂの下筒部２２と液垂れ防止リング４との間に挟持され、全周にわたって設けられるリング形状に形成されている。なお、吸液性部材５は、リング状であることに制限されることはなく、周方向に間隔をあけて部分的に配置されていてもよい。
【００４２】
第６の実施の形態では、受け部Ｐで受け止められる残液を吸液性部材５によって積極的に吸収することが可能となるので、受け部Ｐ及び計量キャップ３の残液量を少なくすることができ、より早く乾燥させることができる。
【００４３】
以上、本発明に係る容器の実施の形態について説明したが、本発明は上記した実施の形態に限定されるものではなく、その趣旨を逸脱しない範囲で適宜変更可能である。
【００４４】
例えば、本実施の形態では、液垂れ防止リング４（４Ａ〜４Ｄ）が容器本体２に対して着脱可能に設けられているが、着脱可能ではなく、容器本体２に一体的に成形されたものであってもよい。この場合、製造時において、容器本体２とは分離された液垂防止リングを装着して組み付ける作業工程が不要になるという利点がある。
【００４５】
また、本実施の形態では、液垂れ防止リング４の下端部４ａが容器本体２の形状に合わせてテーパー面に形成されているが、テーパー面に形成されていない下端部であってもかまわない。
また、本実施の形態では、計量キャップ３の開口縁部３３ａが環状膨出部２３に上方から当接しているが、これに限らず、開口縁部３３ａが環状膨出部２３から離れていても良い。
【００４６】
さらに、計量キャップ３の雌ねじ部３２ａが、容器本体２の首部２ｂの雄ねじ部２１ａに螺着されることとしたが、これに限定されるものではない。すなわち、これらねじ部３２ａ、２１ａを用いる代わりに、例えば容器本体２の首部２ｂと計量キャップ３とにそれぞれ嵌合凸部を形成してこれらをアンダーカット嵌合させることにより、計量キャップ３を首部２ｂに装着することとしてもよい。
【００４７】
その他、本発明の趣旨を逸脱しない範囲で、上記した実施の形態における構成要素を周知の構成要素に置き換えることは適宜可能である。
【符号の説明】
【００４８】
１  容器
２  容器本体
２ｂ  首部
３  計量キャップ
４、４Ａ、４Ｂ、４Ｃ、４Ｄ  液垂れ防止リング
４ａ  下端部
４ｂ  内周面
４ｃ  第１通気孔
４ｄ  第２通気孔
４ｅ  第３通気孔
２１  上筒部
２２  下筒部
２３  環状膨出部
３３ａ  開口縁部
４１  環状凸部
４２  下筒
４３  上筒
４４  連結部
Ｏ  容器軸
Ｐ  受け部
【図１】
2014227195.tif 000003
【図２】
2014227195.tif 000004
【図３】
2014227195.tif 000005
【図４】
2014227195.tif 000006
【図５】
2014227195.tif 000007
【図６】
2014227195.tif 000008